(57)【要約】【課題】血圧計測装置の小型化を図ること。【解決手段】血圧計測装置１０は、被検者２の測定部位に接触する本体ケース１２の裏面に、測定光を照射する発光部４２と、測定光の反射透過光を受光する受光部４４とを備え、受光部４４の受光結果に基づいて、被検者２の血圧Ｐｒを計測する。血圧Ｐｒは、血流量Ｒと末梢血管抵抗Ｒとの積として算出する。血流量Ｑは、受光信号に対するＦＦＴによって得られるパワースペクトルから求める、末梢血管抵抗Ｒは、受光信号から得られる容積脈波の駆出波と反射波との振幅比率から求める。【選択図】図１
2016112277.tif 000002
【特許請求の範囲】
【請求項１】
生体に光を照射する発光部と、
前記生体内で反射或いは透過した光を受光する受光部と、
前記受光部の受光結果に基づいて血流量及び容積脈波を算出し、前記血流量と、前記容積脈波から求まる血管抵抗とから血圧を算出する演算部と、
を備えた血圧計測装置。
【請求項２】
前記演算部は、前記受光部での受光光を周波数解析し、当該周波数解析の結果を用いて前記血流量を算出する、
請求項１に記載の血圧計測装置。
【請求項３】
前記演算部は、次式（１）を用いて前記血流量を算出する、
請求項２に記載の血圧計測装置。
【数１】
2016112277.tif 000008
但し、Ｑが血流量であり、ＫＱが定数であり、ｆ１，ｆ２が遮断周波数であり、＜Ｉ２＞が受光光の強度の２乗平均であり、Ｐ（ｆ）がパワースペクトルである。
【請求項４】
前記演算部は、駆出波及び反射波それぞれに相当する前記容積脈波の２つの振幅に基づいて、前記血管抵抗を算出する、
請求項１〜３の何れか一項に記載の血圧計測装置。
【請求項５】
前記演算部は、前記２つの振幅の比率に基づいて前記血管抵抗を算出する、
請求項４に記載の血圧計測装置。
【請求項６】
本体部と、前記本体部を生体の測定部位に装着するためのバンド部とを備える電子機器であって、
前記本体部は、
生体に光を照射する発光部と、
前記生体内で反射或いは透過した光を受光する受光部と、
前記受光部の受光結果に基づいて血流量及び容積脈波を算出し、前記血流量と、前記容積脈波から求まる血管抵抗とから血圧を算出する演算部と、
を有する電子機器。
【請求項７】
光学プローブと本体装置とが通信で接続される電子機器であって、
前記光学プローブは、
生体に光を照射する発光部と、
前記生体内で反射或いは透過した光を受光する受光部と、
を有し、
前記本体部は、
前記受光部の受光結果に基づいて血流量及び容積脈波を算出し、前記血流量と、前記容積脈波から求まる血管抵抗とから血圧を算出する演算部、
を有する、
電子機器。
【請求項８】
請求項１〜５の何れか一項に記載の血圧計測装置を備えた電子機器。
【請求項９】
生体に光を照射する発光部と、前記生体内で反射或いは透過した光を受光する受光部とを備えた装置が、
前記受光部の受光結果に基づいて血流量及び容積脈波を算出することと、
前記血流量と、前記容積脈波から求まる血管抵抗とから血圧を算出することと、
を実行する血圧計測方法。
【発明の詳細な説明】
【技術分野】
【０００１】
本発明は、光を用いて血圧を計測する血圧計測装置等に関する。
【背景技術】
【０００２】
現在、一般的に普及しているカフを用いた加圧式ではなく、新たな方式として、超音波や光を用いた血圧計測装置の開発が進められている（例えば、特許文献１，２参照）。
【先行技術文献】
【特許文献】
【０００３】
【特許文献１】特開２００４−２０１８６８号公報
【特許文献２】特開２００４−１５４２３１号公報
【発明の概要】
【発明が解決しようとする課題】
【０００４】
上述の特許文献１，２に開示されている装置は、カフを用いずに、しかも血圧を精度良く求めるための技術手法ではあるが、血流速度を測定するための超音波センサーと、容積脈波を測定するための光センサーと、の２つのセンサーが必要であった。血圧計測装置は、医療機関のみならず、家庭用としてのニーズが高く、また携帯型のニーズもある。これらのニーズに応えるためには、装置は可能なかぎり小型化できることが望まれる。
【０００５】
本発明は、上記事情に鑑みてなされたものであり、その目的とするところは、血圧計測装置の小型化を図ることである。
【課題を解決するための手段】
【０００６】
上記課題を解決するための第１の発明は、生体に光を照射する発光部と、前記生体内で反射或いは透過した光を受光する受光部と、前記受光部の受光結果に基づいて血流量及び容積脈波を算出し、前記血流量と、前記容積脈波から求まる血管抵抗とから血圧を算出する演算部と、を備えた血圧計測装置である。
【０００７】
また、他の発明として、生体に光を照射する発光部と、前記生体内で反射或いは透過した光を受光する受光部とを備えた装置が、前記受光部の受光結果に基づいて血流量及び容積脈波を算出することと、前記血流量と、前記容積脈波から求まる血管抵抗とから血圧を算出することと、を実行する血圧計測方法を構成しても良い。
【０００８】
この第１の発明等によれば、受光部の受光結果に基づいて血流量及び容積脈波を算出し、これらから血圧を算出することができる。すなわち、１つの受光部で血圧を計測することができる。これにより、上述した先行技術文献のような血流速度を測定するための超音波センサーと容積脈波を測定するための光センサーとの２つのセンサーを必要とした従来の装置に比較して、装置の一層の小型化を図ることが可能となる。
【０００９】
第２の発明は、第１の発明の血圧計測装置であって、前記演算部は、前記受光部での受光光を周波数解析し、当該周波数解析の結果を用いて前記血流量を算出する、血圧計測装置である。
【００１０】
具体的には、第３の発明として、第２の発明の血圧計測装置であって、前記演算部は、次式（１）を用いて前記血流量を算出する、血圧計測装置を構成しても良い。
【数１】
2016112277.tif 000003
但し、Ｑが血流量であり、ＫＱが定数であり、ｆ１，ｆ２が遮断周波数であり、＜Ｉ２＞が受光光の強度の２乗平均であり、Ｐ（ｆ）がパワースペクトルである。
【００１１】
この第２又は第３の発明によれば、いわゆるレーザードップラーと呼ばれる手法を用いて、血流量を算出することができる。
【００１２】
第４の発明は、第１〜第３の何れかの発明の血圧計測装置であって、前記演算部は、駆出波及び反射波それぞれに相当する前記容積脈波の２つの振幅に基づいて、前記血管抵抗を算出する、血圧計測装置である。
【００１３】
具体的には、第５の発明として、第４の発明の血圧計測装置であって、前記演算部は、前記２つの振幅の比率に基づいて前記血管抵抗を算出する、血圧計測装置を構成しても良い。
【００１４】
この第４又は第５の発明によれば、容積脈波のうち、駆出波を反映する箇所（時刻）の振幅と反射波を反映する箇所（時刻）の振幅との比率を用いて、血管抵抗を算出することができる。これは、上記振幅比率は、血管抵抗に相関する値であるからである。
【００１５】
第６の発明は、本体部と、前記本体部を生体の測定部位に装着するためのバンド部とを備える電子機器であって、前記本体部は、生体に光を照射する発光部と、前記生体内で反射或いは透過した光を受光する受光部と、前記受光部の受光結果に基づいて血流量及び容積脈波を算出し、前記血流量と、前記容積脈波から求まる血管抵抗とから血圧を算出する演算部と、を有する電子機器である。
【００１６】
この第６の発明によれば、第１の発明と同様の効果を得る電子機器を実現することができる。また、本体部をバンド部によって生体の測定部位に装着できるため、例えば腕時計型のような全体形状とすることができ、携帯性に優れた構成とすることができる。この構成によれば、場所や時間が問われないことから、比較的長時間の間、連続的あるいは定期的（周期的）な血圧計測を行うことができる。
【００１７】
第７の発明は、光学プローブと本体装置とが通信で接続される電子機器であって、前記光学プローブは、生体に光を照射する発光部と、前記生体内で反射或いは透過した光を受光する受光部と、を有し、前記本体部は、前記受光部の受光結果に基づいて血流量及び容積脈波を算出し、前記血流量と、前記容積脈波から求まる血管抵抗とから血圧を算出する演算部、を有する、電子機器である。
【００１８】
この第７の発明によれば、第１の発明と同様の効果を得る電子機器を実現することができる。
【００１９】
第８の発明は、第１〜第５の何れかの発明の血圧計測装置を備えた電子機器である。
【００２０】
この第８の発明によれば、第１〜第５の発明と同様の効果を得る電子機器を実現することができる。
【図面の簡単な説明】
【００２１】
【図１】血圧計測装置の全体構成図。
【図２】発光部・受光部間の光の伝播経路の説明図。
【図３】容積脈波の一例。
【図４】血圧計測装置の機能構成図。
【図５】血圧計測処理のフローチャート。
【図６】血圧計測装置の他の構成例。
【図７】血圧計測装置の他の構成例。
【発明を実施するための形態】
【００２２】
図１は、本実施形態における血圧計測装置１０の全体構成例を示す外観図である。この血圧計測装置１０は、光を用いて被検者２の血圧を非侵襲に測定する電子機器である。図１に示すように、血圧計測装置１０は、腕時計型を成し、本体ケース１２と、本体ケース１２を被検者２の手首や腕等の測定部位に装着固定するための、例えば面ファスナーを有するバンド部である固定バンド１４とを備えて構成される。
【００２３】
本体ケース１２の表面（被検者２が装着したときに外向きとなる面）には、タッチパネル１６や操作スイッチ１８、スピーカー２０が設けられている。このタッチパネル１６や操作スイッチ１８を用いて被検者２が測定開始指示の入力を行ったり、測定に係る音声ガイダンスがスピーカー２０から出力されたり、測定結果がタッチパネル１６に表示されたりする。
【００２４】
また、本体ケース１２の側面には、外部装置と通信するための通信装置２２と、メモリーカード２４のリーダーライター２６とが設けられている。通信装置２２は、有線ケーブルを接続するためのジャックや、或いは、無線通信を行うための無線通信モジュール及びそのアンテナにより実現される。メモリーカード２４は、フラッシュメモリーや強誘電体メモリー（ＦｅＲＡＭ：Ferroelectric Random Access Memory）、磁気抵抗メモリー（ＭＲＡＭ：Magnetoresistive Random Access Memory）等のデータ書き換え可能な不揮発性メモリーである。
【００２５】
また、本体ケース１２の裏面には、発光部４２と、受光部４４とが、被検者２の皮膚面に接触可能に設けられている。発光部４２は、生体である被検者２に対して測定光を照射する。例えば、所定の単波長のレーザー光を照射（射出）するレーザー光源で実現される。本実施形態では、生体に向けて照射するため、皮膚透過性を有する近赤外光の帯域の波長のレーザー光が好適である。受光部４４は、測定光が生体内組織を透過した透過光や生体内組織から反射した反射光を受光し、受光量に応じた電気信号を出力する。例えばＣＣＤ（Charge Coupled Device）やＣＭＯＳ（Complementary Metal Oxide Semiconductor）等の撮像素子で実現される。
【００２６】
また、発光部４２、及び、受光部４４は、測定対象となる血管（例えば、被検者２の手首の橈骨動脈）の想定位置に応じた位置に設けられている。具体的には、図２は、生体内での光の伝播を説明する図であり、被検者２の生体内の深さ方向に沿った断面を示している。発光部４２から照射された測定光は、皮膚面から生体内に進入して拡散反射し、そのうちの一部が受光部４４に到達する。その光の伝播経路は、いわゆるバナナ形状（２つの弧で挟まれた領域）を成し、ほぼ中央付近で深さ方向の幅が最も広くなる。この伝播経路の深さ（到達可能な深さ）Ｄは、発光素子と受光素子との間隔Ｗが小さいほど浅く、間隔Ｗが大きいほど深くなる。発光部４２から受光部４４へ至る光の伝播経路のうち、深さ方向の幅が最も広くなる中央付近を、血管４が通過することが望ましい。従って、発光部４２と受光部４４との間のほぼ中央に測定対象の血管が位置し、且つ、その間隔Ｗが当該血管の深さＤに応じた距離となるよう、発光部４２と受光部４４との位置が決められる。例えば、血管４の深さＤを３［ｍｍ］程度と想定すると、間隔Ｗは５〜６［ｍｍ］程度とすることができる。
【００２７】
更に、本体ケース１２には、充電式のバッテリー２８と、制御基板３０と、が内蔵されている。バッテリー２８への充電方式としては、本体ケース１２の背面側に電気接点を設け、家庭用電源に接続されたクレードルにセットし、電気接点を介してクレードル経由で充電される構成でも良いし、無線式充電でも良い。
【００２８】
制御基板３０には、ＣＰＵ（Central Processing Unit）と、メインメモリーと、測定データ用メモリーと、タッチパネルコントローラーと、センサーモジュールコントローラーとが搭載されている。メインメモリーは、プログラムや初期データを格納したり、ＣＰＵの演算値を格納することができる記憶媒体であり、ＲＡＭ（Random Access Memory）やＲＯＭ（Read Only Memory）、フラッシュメモリー等で実現される。なお、プログラムや初期データは、メモリーカード２４に記憶されている構成でも良い。測定データ用メモリーは、測定データを記憶するための記憶媒体であり、フラッシュメモリーや強誘電体メモリー、磁気抵抗メモリー等のデータ書き換え可能な不揮発性メモリーによって実現される。なお、測定データをメモリーカード２４に記憶する構成でも良い。
【００２９】
［原理］
（Ａ）血圧の算出
血圧Ｐｒは、次式（２）に示すように、血流量Ｑと、末梢血管抵抗Ｒとの積で表される。
【数２】
2016112277.tif 000004
【００３０】
（Ｂ）血流量Ｑ
血流量Ｑは、レーザードップラー法を用いて算出する。具体的には、受光部４４による受光信号（受光量の時間変化を表す信号）に対して、高速フーリエ変換（ＦＦＴ：Fast Fourier Transform）による周波数解析処理を行って、パワースペクトル（周波数スペクトル）Ｐ（ｆ）を算出する。そして、血流量Ｑを、算出したパワースペクトルＰ（ｆ）を用いて次式（３）から求める。
【数３】
2016112277.tif 000005
式（３）において、「ＫＱ」は所定の定数であり、「ｆ１，ｆ２」はバンドパスフィルターの遮断周波数であり、「＜Ｉ２＞」は受光光の強度の二乗平均である。
【００３１】
（Ｃ）末梢血管抵抗Ｒ
末梢血管抵抗Ｒは、容積脈波を用いて算出する。具体的には、心臓の拍動によって血管は収縮拡張を繰り返し、これに伴って血管内の血流量も変動する。つまり、血管のある部位に対して測定光を照射し続けたとき、血流量の変動によって、当該血管を通過した光の光量が変動することとなる。そこで、発光部４２から測定光を照射させ、そのときの受光部４４による受光量の変動から容積脈波を検出する。なお、受光部４４による受光信号に対して周波数のフィルタリング処理やスムージング処理を行って、容積脈波を算出しても良い。
【００３２】
図３は、容積脈波の一例である。図３に示すように、容積脈波は、心臓の一心拍期間を周期とする周期関数であり、一周期の波形には、駆出波及び反射波それぞれに起因する２つのピークが表れる。駆出波のピークが現れるタイミングは収縮期、反射波のピークが現れるタイミングは切痕期とも呼ばれる。そして、この駆出波の振幅Ｐ１と、反射波の振幅Ｐ２との比率（＝Ｐ２／Ｐ１）は、末梢血管抵抗Ｒに相関することが知られている。これは、末梢血管抵抗Ｒによって反射波の程度が変化するからである。このため、本実施形態では、この振幅比率を用いて、末梢血管抵抗Ｒを算出する。具体的には、次式（４）に示すように、末梢血管抵抗Ｒは、振幅比率を変数ｘとする関数ｆ（ｘ）によって算出される。
【数４】
2016112277.tif 000006
【００３３】
本実施形態では、更に、式（４）を次式（５）のように簡略化し、末梢血管抵抗Ｒは、振幅比率に比例することとして近似する。
【数５】
2016112277.tif 000007
上式（５）において、定数Ｋは、固定値としても良いし、血圧計測に先立ち、加圧式血圧計を用いた校正を行うことで決定することとしても良い。
【００３４】
［機能構成］
図４は、血圧計測装置１０の機能構成図である。図４によれば、血圧計測装置１０は、操作部１１０と、表示部１２０と、音出力部１３０と、通信部１４０と、発光部４２と、受光部４４と、処理部２００と、記憶部３００とを備えて構成される。
【００３５】
操作部１１０は、ボタンスイッチやタッチパネル、各種センサー等の入力装置であり、なされた操作に応じた操作信号を処理部２００に出力する。この操作部１１０によって、血圧の測定開始指示等の各種指示入力が行われる。図１では、操作スイッチ１８やタッチパネル１６がこれに該当する。
【００３６】
表示部１２０は、ＬＣＤ（Liquid Crystal Display）等の表示装置であり、処理部２００からの表示信号に基づく各種表示を行う。この表示部１２０に、測定結果等が表示される。図１では、タッチパネル１６がこれに該当する。
【００３７】
音出力部１３０は、スピーカー等の音出力装置であり、処理部２００からの音信号に基づく各種音出力を行う。この音出力部１３０によって、生体情報の測定開始や測定終了等の報知音や案内音声が出力される。
【００３８】
通信部１４０は、無線通信機やモデム、有線用の通信ケーブルのジャックや制御回路等の通信装置であり、通信回線と接続して外部との通信を実現する。図１では、通信装置２２がこれに該当する。
【００３９】
処理部２００は、例えばＣＰＵやＧＰＵ（Graphics Processing Unit）等のマイクロプロセッサーや、ＡＳＩＣ（Application Specific Integrated Circuit：特定用途向け集積回路）、ＦＰＧＡ（Field-Programmable Gate Array）、ＩＣメモリー等の電子部品によって実現され、所定のプログラムやデータ、操作部１１０からの操作信号等に基づいて各種の演算処理を実行して、血圧計測装置１０の動作を制御する。図１では、制御基板３０がこれに該当する。また、処理部２００は、発光制御部２０２と、受光制御部２０４と、血流量算出部２０６と、容積脈波検出部２０８と、血管抵抗算出部２１０と、血圧算出部２１２とを有する。
【００４０】
発光制御部２０２は、発光部４２による測定光の照射の開始及び終了、測定光の強度等を制御する。受光制御部２０４は、受光部４４による受光を制御し、受光部４４から受光量に応じた信号を入力するとノイズ除去等のフィルタリング処理やデジタル信号への変換処理等を行う。なお、以降の説明において、受光部４４による受光結果（受光信号）は、受光部４４から入力される信号そのものとしてもよいし、この受光制御部２０４による信号処理を経た後の信号としてもよい。実質的に等価な信号といえるからである。
【００４１】
血流量算出部２０６は、受光部４４の受光結果をもとに、血流量Ｑを算出する。すなわち、受光部４４による受光信号に対してＦＦＴといった周波数解析処理を行ってパワースペクトル（周波数スペクトル）Ｐ（ｆ）を算出する。そして、このパワースペクトルＰ（ｆ）を用いて、式（３）に従って、血流量Ｑを算出する。算出した血流量Ｑは、血流量データ３０４として記憶される。
【００４２】
容積脈波検出部２０８は、受光部４４による受光結果をもとに、容積脈波を検出する。具体的には、発光制御部２０２を介して測定用発光素子５２ａを発光させ、そのときの測定用受光素子５８ａの受光量（受光信号の強度）の変化を容積脈波として検出する。検出した容積脈波は、容積脈波データ３０６として記憶される。
【００４３】
血管抵抗算出部２１０は、容積脈波検出部２０８によって検出された容積脈波をもとに、末梢血管抵抗Ｒを算出する。具体的には、容積脈波の１心拍分の波形から、駆出波に対応するピークの振幅Ｐ１と、反射波に対応するピークの振幅Ｐ２との比率である振幅比率を算出する。そして、この振幅比率を用いて、式（５）に従って、末梢血管抵抗Ｒを算出する。算出した末梢血管抵抗Ｒは、血管抵抗データ３０８として記憶される。なお、１心拍分の波形ではなく、複数拍分の波形において、各拍の波形の振幅Ｐ１および振幅Ｐ２の平均値を採用することとしてもよい。
【００４４】
血圧算出部２１２は、血流量算出部２０６によって算出された血流量Ｑと、血管抵抗算出部２１０によって算出された末梢血管抵抗Ｒとから、式（２）に従って、血圧Ｐｒを算出する。算出した血圧Ｐｒは、例えば測定時刻と対応付けて、血圧データ３１０として蓄積記憶される。
【００４５】
記憶部３００は、ＲＯＭやＲＡＭ、ハードディスク等の記憶装置であり、処理部２００が血圧計測装置１０を統合的に制御するためのプログラムやデータ等を記憶しているとともに、処理部２００の作業領域として用いられ、処理部２００が実行した演算結果や、操作部１１０からの操作データ等が一時的に格納される。図１では、制御基板３０に搭載されるメインメモリーや測定データ用メモリーがこれに該当する。記憶部３００には、血圧計測プログラム３０２と、血流量データ３０４と、容積脈波データ３０６と、血管抵抗データ３０８と、血圧データ３１０と、が記憶される。
【００４６】
［処理の流れ］
図５は、血圧計測処理の流れを説明するフローチャートである。この処理は、処理部２００が血圧計測プログラム３０２に従った処理を実行することで実現される。但し、血圧計測装置１０は、発光部４２及び受光部４４が被検者２の手首といった測定部位に密着するように固定バンド１４によって装着固定されているとする。この状態において、所定の測定開始指示がなされると血圧計測処理が開始される。
【００４７】
先ず、処理部２００は、発光部４２による測定光の照射を開始させ、そのときの受光部４４による受光結果（受光信号）を取得する（ステップＳ１）。そして、血流量算出部２０６が、受光部４４による受光信号に対するＦＦＴ等の周波数解析処理を行って、パワースペクトルＰ（ｆ）を算出する（ステップＳ３）。次いで、このパワースペクトルＰ（ｆ）をもとに、式（３）から、血流量Ｑを算出する（ステップＳ５）。
【００４８】
また、容積脈波検出部２０８が、受光部４４による受光信号をもとに、容積脈波を検出する（ステップＳ７）。次いで、血管抵抗算出部２１０が、検出された容積脈波における駆出波と反射波の振幅比率を算出し（ステップＳ９）、この振幅比率をもとに、式（５）から、末梢血管抵抗Ｒを算出する（ステップＳ１１）。
【００４９】
その後、血圧算出部２１２が、算出された血流量Ｑと末梢血管抵抗Ｒとから、式（２）に従って、血圧Ｐｒを算出する（ステップＳ１３）。そして、算出した血圧Ｐｒを、例えば表示部１２０に表示させ、記憶部３００に記憶させる（ステップＳ１５）。以上の処理を行うと、本処理は終了となる。
【００５０】
なお、図５に示した血圧計測処理は、測定開始指示１回につき、１回の血圧計測を行う処理としているが、測定開始指示がなされた後、測定終了指示がなされるまで、血圧計測を継続的に実行することとしてもよい。すなわち、ステップＳ１５の後、測定終了指示がなされなければステップＳ１に処理を移行することとすればよい。
【００５１】
［作用効果］
このように、本実施形態の血圧計測装置１０によれば、発光部４２が測定光を照射し、受光部４４の受光結果に基づいて血流量Ｑ及び容積脈波を算出し、これらから血圧Ｐｒを算出することができる。すなわち、１つの光センサーによる検出結果を用いて血圧を計測することができる。これにより、上述の先行技術文献のような、血流速度を測定するための超音波センサーと容積脈波を測定するための光センサーとの２つのセンサーを必要とした従来の装置に比較して、装置の小型化を図ることが可能となる。
【００５２】
［変形例］
なお、本発明の適用可能な実施形態は、上述の実施形態に限定されることなく、本発明の趣旨を逸脱しない範囲で適宜変更可能なのは勿論である。
【００５３】
（Ａ）酸素飽和度の測定
更に、酸素飽和度を測定するようにしても良い。図６は、更に酸素飽和度も測定可能な血圧計測装置１０Ａの構成例であり、本体ケース１２の裏面を示している。図６に示すように、血圧計測装置１０Ａは、本体ケース１２の裏面に２つの発光部４２ａ，４２ｂが設けられている。２つの発光部４２ａ，４２ｂは、それぞれ異なる波長λ１，λ２の測定光（レーザー光）を照射する。具体的には、波長λ１の赤色光（Ｒ）と、波長λ２の近赤外光（ＩＲ）とを照射する。発光部４２ａ，４２ｂは、交互に測定光を照射するように制御され、受光部４４は、発光部４２ａ，４２ｂの何れかの測定光に対応する反射透過光を受光する。
【００５４】
発光部４２ａが照射する波長λ１の測定光に対応する容積脈波Ｆ１及び血流量Ｑ１と、発光部４２ｂが照射する波長λ２の測定光に対応する容積脈波Ｆ１及び血流量Ｑ２と、が得られる。そして、これらの２つの波長λ１，λ２それぞれに対応する容積脈波Ｆ１，Ｆ２及び血流量Ｑ１，Ｑ２を用いて、公知のパルスオキシメーターの原理によって、波長λ１，λ２それぞれの測定光での吸光度の違いから、酸素飽和度ＳｐＯ２（血中酸素濃度）を算出することができる。また、波長λ１，λ２のどちらかの測定光に対応する容積脈波Ｆ及び血流量Ｑから、上述の実施形態のように、血圧Ｐｒを求めることができる。
【００５５】
（Ｂ）血圧計測装置の全体構成
上述した実施形態では、血圧計測装置１０を腕時計型の電子機器として説明したが、別の形態としてもよい。例えば、プローブと本体装置とを別体として通信接続した構成とする電子機器としてもよい。
【００５６】
図７は、血圧計測装置１０の他の構成例である。図７によれば、血圧計測装置１０Ｂは、光学プローブ６０と、本体装置７０と、ビデオモニター８０と、キーボード９０と、を備えた電子機器である。なお、本体装置７０がビデオモニター８０及びキーボード９０を有した構成としてもよい。
【００５７】
光学プローブ６０は、被検者２の測定部位である手首等に貼り付け可能な薄型平面状のパッドタイプであり、被検者２の測定部位に貼り付けて固定されて使用される。また、光学プローブ６０は、発光部４２と、受光部４４と、を内蔵しており、上述の実施形態における血圧計測装置１０と同様に、発光部４２、及び、受光部４４、が被検者２の皮膚面に密着するように被検者２に固定されるように構成されている。そして光学プローブ６０は、本体装置７０からの発光制御信号に従って発光部４２から測定光を照射するとともに、受光部４４による受光信号（受光量）を本体装置７０へ出力する。なお、光学プローブ６０は、貼り付け可能なパッドタイプではなく、オペレーターが手で持って被検者２の測定部位に当てるペンタイプとしても良い。
【００５８】
本体装置７０は、ＣＰＵやＧＰＵ、ＤＳＰ（Digital Signal Processor）等の各種マイクロプロセッサー、ＡＳＩＣや電子回路、ＶＲＡＭやＲＡＭ、ＲＯＭ（等の各種ＩＣメモリーやハードディスク等の情報記憶媒体、外部からのデータ送受を実現するインターフェースＩＣや接続端子、電源回路等により実現される。本体装置７０は、図４に示した処理部２００、記憶部３００及び通信部１４０の機能を有する。
【００５９】
本体装置７０は、光学プローブ６０と有線接続されており、光学プローブ６０を用いた光測定を行って、容積脈波の検出や最適押圧力の設定、生体情報（血糖値）の算出等を行い、算出結果をビデオモニター８０に表示させる。
【００６０】
ビデオモニター８０は、画像表示装置であって、フラットパネルディスプレイやタッチパネルディスプレイにより実現される。適宜、スピーカーを内蔵するとしても良い。
【００６１】
キーボード９０は、オペレーターが各種操作を入力するための手段である。
図７の例では、キーボード９０はスイングアームで揺動自在に支持されており、必要なときに手前に起こして使用する形態であるが、本体装置７０と一体の構成や、ビデオモニター８０をタッチパネルとすることで兼ねる構成としても良い。更に、マウスやトラックパッド等のその他の操作入力デバイスを追加することもできる。
【００６２】
血圧計測装置１０Ｂの動作及び処理内容は、上述した血圧計測装置１０と同様である。
【符号の説明】
【００６３】
１０  血圧計測装置、４２  発光部、４４  受光部、１１０操作部、１２０  表示部、１３０  音出力部、１４０  通信部、２００  処理部、２０２  発光制御部、２０４  受光制御部、２０６  血流量算出部、２０８  容積脈波検出部、２１０  血管抵抗算出部、２１２  血圧算出部、３００  記憶部、３０２  血圧計測プログラム、３０４  血流量データ、３０６  容積脈波データ、３０８  血管抵抗データ、３１０  血圧データ、２  被検者、４  血管
【図１】
2016112277.tif 000009
【図２】
2016112277.tif 000010
【図３】
2016112277.tif 000011
【図４】
2016112277.tif 000012
【図５】
2016112277.tif 000013
【図６】
2016112277.tif 000014
【図７】
2016112277.tif 000015